【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
複数の場所の映像をそれぞれ略リアルタイムに取得するための映像取得手段と、
前記映像取得手段により取得された一つ又は複数の場所の映像を、オンラインで略リアルタイムに、ユーザー側に向けて送信するための映像送信手段と、
ユーザー側に備えられ、前記映像送信手段により送信された映像を受信するための映像受信手段と、
ユーザー側に備えられ、前記映像受信手段により受信された映像を略リアルタイムに表示するための映像表示手段と、
「前記各映像取得手段が配置されているか又は前記各映像取得手段がそれぞれ映像取得の対象としている各場所」の匂い情報を、取得するための匂い情報取得手段と、
前記匂い情報取得手段により取得された匂い情報又はこれに基づいて生成される芳香成分情報を、オンラインで略リアルタイムに、前記ユーザー側に送信するための匂い情報等送信手段と、
前記ユーザー側の映像表示手段又はその近傍に備えられ、前記映像表示手段によりある場所の映像が略リアルタイムに表示されているとき、前記匂い情報等送信手段により送信された情報又はこれに基づいて生成される情報に基づいて、前記映像表示手段により表示される又は表示されている映像の場所又はその近傍の匂いと同一又はこれに近似する匂いを発生させるための匂い発生手段と、
を備えたことを特徴とする略リアルタイム映像提供装置。
【請求項２】
遠隔地にある飲食店の店内の雰囲気や客の混雑状況など、遠隔地の場所の状況を、ユーザーが略リアルタイムに知ることができる映像等提供システムであって、
複数の場所の映像をそれぞれ略リアルタイムに取得するための映像取得手段と、
ユーザーの現在位置座標データを取得するための現在位置取得手段により取得されたユーザーの現在位置座標データに基づいて、前記映像取得手段により取得された映像の中、ユーザーの現在位置又はその近傍に存在する一つ又は複数の場所の映像を、オンラインで略リアルタイムに、ユーザー側に送信するための映像送信手段と、
ユーザー側に備えられ、前記映像送信手段により送信された映像を受信するための映像受信手段と、
ユーザー側に備えられ、前記映像受信手段により受信された映像又はこれに基づく映像情報を略リアルタイムに表示するための映像表示手段と、
「前記各映像取得手段が配置されているか又は前記各映像取得手段がそれぞれ映像取得の対象としている各場所」の匂い情報を、取得するための匂い情報取得手段と、
前記匂い情報取得手段により取得された匂い情報又はこれに基づいて生成される芳香成分情報を、オンラインで略リアルタイムに、前記ユーザー側に送信するための匂い情報等送信手段と、
前記ユーザー側の映像表示手段又はその近傍に備えられ、前記映像表示手段によりある場所の映像が略リアルタイムに表示されているとき、前記匂い情報等送信手段により送信された情報又はこれに基づいて生成される情報に基づいて、前記映像表示手段により表示される又は表示されている映像の場所又はその近傍の匂いと同一又はこれに近似する匂いを発生させるための匂い発生手段と、
を備えたことを特徴とする映像等提供システム。
【請求項３】
遠隔地にある飲食店の店内の雰囲気や客の混雑状況などの遠隔の場所の状況を、ユーザーが略リアルタイムに知ることができる映像等提供システムであって、
複数の場所の映像をそれぞれ略リアルタイムに取得するための映像取得手段と、
ユーザーの現在位置からユーザーが希望する希望場所へ向かう経路の情報に基づいて、前記映像取得手段により取得された映像の中、前記経路の途中に存在する一つ又は複数の場所の映像を、オンラインで略リアルタイムに、ユーザー側に送信するための映像送信手段と、
ユーザー側に備えられ、前記映像送信手段により送信された映像を受信するための映像受信手段と、
ユーザー側に備えられ、前記映像受信手段により受信された映像を略リアルタイムに表示するための映像表示手段と、
「前記各映像取得手段が配置されているか又は前記各映像取得手段がそれぞれ映像取得の対象としている各場所」の匂い情報を、取得するための匂い情報取得手段と、
前記匂い情報取得手段により取得された匂い情報又はこれに基づいて生成される芳香成分情報を、オンラインで略リアルタイムに、前記ユーザー側に送信するための匂い情報等送信手段と、
前記ユーザー側の映像表示手段又はその近傍に備えられ、前記映像表示手段によりある場所の映像が略リアルタイムに表示されているとき、前記匂い情報等送信手段により送信された情報又はこれに基づいて生成される情報に基づいて、前記映像表示手段により表示される又は表示されている映像の場所又はその近傍の匂いと同一又はこれに近似する匂いを発生させるための匂い発生手段と、
を備えたことを特徴とする映像等提供システム。
【請求項４】
遠隔地にある飲食店の店内の雰囲気や客の混雑状況などの遠隔の場所の状況を、ユーザーが略リアルタイムに知ることができる映像等提供システムであって、
複数の場所の映像をそれぞれ略リアルタイムに取得するための映像取得手段と、
ユーザーが希望する場所その他の情報に関する文字列などのキー・データを取得するためのキー・データ取得手段により取得された「ユーザーが希望する場所その他の情報に関する文字列などのキー・データ」に基づいて、前記映像取得手段により取得された映像の中、前記キー・データに対応する一つ又は複数の場所の映像を、オンラインで略リアルタイムに、ユーザー側に送信するための映像送信手段と、
ユーザー側に備えられ、前記映像送信手段により送信された映像を受信するための映像受信手段と、
ユーザー側に備えられ、前記映像受信手段により受信された映像又はこれに基づく映像情報を略リアルタイムに表示するための映像表示手段と、
「前記各映像取得手段が配置されているか又は前記各映像取得手段がそれぞれ映像取得の対象としている各場所」の匂い情報を、取得するための匂い情報取得手段と、
前記匂い情報取得手段により取得された匂い情報又はこれに基づいて生成される芳香成分情報を、オンラインで略リアルタイムに、前記ユーザー側に送信するための匂い情報等送信手段と、
前記ユーザー側の映像表示手段又はその近傍に備えられ、前記映像表示手段によりある場所の映像が略リアルタイムに表示されているとき、前記匂い情報等送信手段により送信された情報又はこれに基づいて生成される情報に基づいて、前記映像表示手段により表示される又は表示されている映像の場所又はその近傍の匂いと同一又はこれに近似する匂いを発生させるための匂い発生手段と、
を備えたことを特徴とする映像等提供システム。
【請求項５】
遠隔地にある飲食店の店内の雰囲気や客の混雑状況などの遠隔の場所の状況を、ユーザーが略リアルタイムに知ることができる映像等提供システムであって、
複数の場所の映像をそれぞれ略リアルタイムに取得するための映像取得手段と、
ユーザーが希望する場所その他の情報に関する文字列などのキー・データを、取得するためのキー・データ取得手段と、
前記各映像を互いに識別するための映像識別データと前記キー・データとを互いに対応付けて記録するための記録手段と、
前記キー・データ取得手段により取得されたキー・データ及び前記記録手段の記録内容に基づいて、前記映像取得手段により取得された映像の中、前記キー・データに対応する一つ又は複数の場所の映像を、オンラインで略リアルタイムに、ユーザー側に送信するための映像送信手段と、
ユーザー側に備えられ、前記映像送信手段により送信された映像を受信するための映像受信手段と、
ユーザー側に備えられ、前記映像受信手段により受信された映像又はこれに基づく映像情報を略リアルタイムに表示するための映像表示手段と、
「前記各映像取得手段が配置されているか又は前記各映像取得手段がそれぞれ映像取得の対象としている各場所」の匂い情報を、取得するための匂い情報取得手段と、
前記匂い情報取得手段により取得された匂い情報又はこれに基づいて生成される芳香成分情報を、オンラインで略リアルタイムに、前記ユーザー側に送信するための匂い情報等送信手段と、
前記ユーザー側の映像表示手段又はその近傍に備えられ、前記映像表示手段によりある場所の映像が略リアルタイムに表示されているとき、前記匂い情報等送信手段により送信された情報又はこれに基づいて生成される情報に基づいて、前記映像表示手段により表示される又は表示されている映像の場所又はその近傍の匂いと同一又はこれに近似する匂いを発生させるための匂い発生手段と、
を備えたことを特徴とする映像等提供システム。